(57)【要約】【課題】本発明の目的は、吸音材を用いることによる弊害（音質の低下）を改善すると共に、よりコンパクトな形で低音部の再生周波数帯域も拡大して、音楽のディテールを含む、より再現性の高い音を聴くことができるスピーカ装置を提供することにある。【解決手段】本発明のスピーカ装置は、前面にスピーカユニットを備えたスピーカボックスと、前記スピーカユニットの背面側の再生音を案内するために前記スピーカボックス内に屈曲して形成されている音道と、を備え、前記音道は、先端に向かうほど横断面積が小さくなるように構成される。また前記音道は、先端に近づくにつれて横断面積の減少率が小さくなるように構成されることが好ましい。【選択図】図１
2008160489.tif 000002
【特許請求の範囲】
【請求項１】
前面にスピーカユニットを備えたスピーカボックスと、
前記スピーカユニットの背面側の再生音を案内するために前記スピーカボックス内に屈曲して形成されている音道と、を備え、
前記音道は、先端に向かうほど横断面積が小さくなるように構成されていることを特徴とするスピーカ装置。
【請求項２】
前記音道は、先端に近づくにつれて横断面積の減少率が小さくなることを特徴とする請求項１記載のスピーカ装置。
【請求項３】
前記音道は、長さ方向に複数に分割され、各分割領域における前記横断面積の減少率は一律な値に設定され、下流側の分割領域ものほど当該減少率が小さく設定されていることを特徴とする請求項１または２に記載のスピーカ装置。
【請求項４】
前記音道は、直線状に伸びる音道を複数回折り曲げて形成され、折曲部位同士または折曲部位と先端口との間における直線状の音道が前記各分割領域に相当することを特徴とする請求項３に記載のスピーカ装置。
【請求項５】
前記音道の上流側を構成する部材の比重は、前記音道の下流側を構成する部材の比重よりも小さいことを特徴とする請求項１ないし４のいずれか一つに記載のスピーカ装置。  
【請求項６】
前記音道の先端部に吸音材を設けたことを特徴とする請求項１ないし５のいずれか一つに記載のスピーカ装置。      
【発明の詳細な説明】
【技術分野】
【０００１】
本発明は、スピーカユニットの背面側に放射される再生音を案内するための音道を備えたスピーカ装置に関する。
【背景技術】
【０００２】
振動板の往復運動によって音波を発生させる形式のスピーカユニットは、スピーカユニット（振動板）の前面と背面に１８０度位相の異なる音波を放射する。このために双方の音波は空間において互いに干渉し合い、特に音波の波長の長い低音周波数領域では音圧が著しく低下して不自然な再生音となる。
【０００３】
スピーカユニットを備えたスピーカボックスは、この現象を回避するためにスピーカユニット前面と背面の双方に放射された音波の干渉を防ぐための手段であり、従来、平面バッフル形式、密閉箱形式、バスレフレックス形式及びバックロードホーン形式が代表的に製作されてきた。しかしながら、前述した各々の形式においても必ずしも満足な結果が得られているとは言えず、いくつかの課題がある。
【０００４】
平面バッフル形式は、低音域（数十ヘルツ〜百ヘルツ程度）の再生周波数帯域で満足できる音圧を得ようとすると、スピーカユニット前面と背面の双方の空間に放射された音波の干渉を防ぐために、その再生周波数の波長に見合うだけの長さを持った大面積の平面板（数メートル四方）を必要とし巨大化する。
【０００５】
この欠点を回避して実用的な大きさで満足できる再生帯域を得る方法として、スピーカユニット背面の空間を密閉する密閉箱形式のスピーカボックスが考案されてきた。しかし密閉箱形式のものは低音域から高音域まで比較的に自然な音色が得られるものの、低音域部の再生周波数帯域においては共振の原理から密閉箱の容積が重要な要素となり、人の耳を満足させる音を得るためには大容積を必要とする。
【０００６】
そこで密閉箱のスピーカボックスにバスレフポートと呼ばれる共振管を設けることで、特定の周波数でボックス内を共振させて位相を反転した低音を放射させる、密閉箱形式よりは小体積で低音域部の再生を行うことができるバスレフレックス形式が開発された。
【０００７】
一方、前述とは別の方法で低音域部の音圧を高くする方式として、スピーカユニット背面に放射される音波の低音域を積極的に利用するためにスピーカユニット背面にホーンを設けて前面に導き、スピーカユニット前面から直接音と合成するバックロードホーン形式のスピーカボックスが開発されてきた。
【０００８】
密閉箱形式とバスレフレックス形式はスピーカユニット背面から放射される音波をスピーカボックス内に閉じ込めて外部に出ないようにするため、スピーカボックス内において音波の反射の抑制と減衰をさせる必要があり大量の吸音材例えばグラスウールやフェルト等の使用が不可欠となる。しかしこの吸音材はスピーカボックス内の一部を占有して内容積を減少させて低音域部の再生を不利にし、スピーカボックス自体の自然な減衰振動を阻害し、さらに本来放射されるべき音のエネルギーも吸収されることから音楽全体のディテールを損なうなどの弊害がある。
【０００９】
また、バックロードホーン形式はスピーカユニットの背面から放出される低音域の音波をホーンによって大きくし、スピーカユニット前面から放出される直接音に加えることで低域音の量感（音圧）を向上させている（非特許文献１）。しかしながら、充分な低域音の音圧を得るためには再生しようとする周波数の波長以上の長さのホーン（３〜５メートル）、及び音波を拡散放出するための大きな開口部が必要となり、小型化が困難となるだけでなくホーンを通って来る音波とスピーカユニット前面から放出される直接音との位相差も問題となってくる。
【００１０】
また、単にスピーカユニット背面にホーンを設けただけではスピーカユニットの背面から放出される中・高音域の音波もホーンを通ってスピーカボックス前面に放出されるために、スピーカユニット前面から放出される直接音と干渉して中・高域音の音質が損なわれてしまうことから、スピーカユニット背面及びホーン内壁面に吸音材を使用して中・高音域の音の放出を抑制するようにしている。
【００１１】
しかし、スピーカユニットの背面から放出された中・高音域の音波を吸音材によって完全に吸収することができず、吸収されなかった中・高音域の音波がホーン内で反射してホーンから出力されてスピーカユニット前面から放出される直接音と干渉するため、あるいは反射された音波による背圧でスピーカユニットがスムーズに動作できなくなるため、スピーカユニットから出力される本来の音質を聴くことができないという問題がある。また、吸音材を用いることは前述の密閉箱形式とバスレフレックス形式の場合と同様の弊害がある。  
また、特許文献１には、具体的にホーンをボックス内で折り曲げた構成のバックロードホーン形式のスピーカボックスが開示されているが、上述の課題を解決するものではない。
【００１２】
【非特許文献１】長岡  鉄男、“バックロードホーン・スピーカとは何か”、〔online〕、〔平成１８年６月５日検索〕、インターネット＜URL:http://store.yahoo.co.jp/ryobi/backroadho.html＞
【特許文献１】特開平６−１０５３８５（段落００１４、図１）
【発明の開示】
【発明が解決しようとする課題】
【００１３】
本発明はこのような事情に鑑みてなされたものであり、その目的は、吸音材を用いることによる弊害（音質の低下）を改善すると共に、よりコンパクトな形で低音部の再生周波数帯域も拡大して、音楽のディテールを含む、より再現性の高い音を聴くことができるスピーカ装置を提供することにある。
【課題を解決するための手段】
【００１４】
本発明のスピーカ装置は、前面にスピーカユニットが設けられたスピーカボックスと、
前記スピーカユニットの背面側から放射される再生音を案内するために前記スピーカボックス内に屈曲して形成されている音道と、を備え、
前記音道は、先端に向かうほど横断面積が小さくなるように構成されていることを特徴とする。
【００１５】
前記音道は、先端に近づくにつれて横断面積の減少率が小さくなるように構成することが好ましい。この場合、前記減少率が指数関数的に減少するように構成してもよいし、段階的に減少するように構成してもよい。
【００１６】
本発明の具体的な態様としては、前記音道は、長さ方向に複数に分割され、各分割領域における前記横断面積の減少率は一律な値に設定され、下流側の分割領域ものほど当該減少率が小さく設定されている例を挙げることができる。より具体的な態様としては、前記音道は、直線状に伸びる音道を複数回折り曲げて形成され、折曲部位同士または折曲部位と先端口との間における直線状の音道が前記各分割領域に相当する構成を挙げることができる。また前記音道の上流側を構成する部材の比重は、前記音道の下流側を構成する部材の比重よりも小さくすることが好ましい。また前記音道の先端部に吸音材を設けた構成とすることが好ましい。
【発明の効果】
【００１７】
本発明によれば、スピーカユニットの背面側の再生音を案内する先細りの音道を設けている。この音道は電気的にはローパスフィルタに相当し、その効果は流体力学でも知られている流体（空気）の粘性により生ずるもので、音道の径を先細りに小さくすると流体（空気）の粘性が無視できなくなり、音道壁にへばりついている流体（空気）との間で粘性による摩擦でエネルギーの散逸が生ずることから、音波吸収としての性質を持つようになる。この性質により音波は音道内を進行する内に徐々に中・高域音が減衰して行くことから、吸音材を使用しないかまたは少量の使用で不要なスピーカボックス内における中・高域音の反射を抑えることができる。
【００１８】
また、多量の吸音材を用いるとスピーカボックス自体の自然な減衰振動（響き）を阻害し、さらに本来放射されるべき音のエネルギーも吸収されてしまうことから、吸音材の使用量が少ないかあるいは使用しなければ結果として良好な音質が得られる。
【００１９】
また、この音道は低域音を共鳴させる共鳴管としても機能し、使用するスピーカユニットの最低共振周波数近傍の周波数に合わせて適切な長さに設定することにより、最低共鳴周波数の整数倍で生じる気柱共鳴による音道内の音圧増大を利用して、スピーカユニットからの音波の放出が増強されることで、低音域部の再生周波数帯域拡大にも寄与する。例えば、音道の最低共鳴周波数を１００Ｈｚとするためにはｆｘ（共鳴周波数）＝音速／４Ｌ（Ｌは音道の長さ）の式により音道の長さＬを０．８５ｍとすればよい。
【００２０】
また、音道の先端部に例えばグラスウールやフェルト等の吸音材を設けているので、音道の先端部に到達する音道内で完全に濾波しきれなかった位相遅れを伴う音波は、この吸音材によって吸収することができる。そのため音道の先端部が開口している場合には、スピーカユニット前面から放出される直接音に干渉する音波は音道の先端開口部から漏れ出るといったおそれがないことから、より再現性の高い音を聴くことができる。
【００２１】
また、音道は、先端に近づくにつれて横断面積の減少率が指数関数的に小さくなるように構成しているが、これは共鳴管として機能する際に、音道全体の横断面積の減少率を一律にして構成した場合よりも短い長さで同等の効果が得られる。そしてこの音道はスピーカボックス内に屈曲して形成されているため、スピーカボックスをコンパクトに構成することができる。
【発明を実施するための最良の形態】
【００２２】
本発明の実施の形態であるスピーカ装置について図１から図３を参照しながら説明する。図１中の２０は直方体形状のスピーカボックスであり、当該スピーカボックス２０はバッフル板２１と、天板２２と、２個の側板２３と、底板２４と、背板２５とから構成されている。前記バッフル板２１の上部側には再生音を出力するスピーカユニット３が設けられている。  
前記スピーカボックス２０内には、スピーカユニット３の背面側から放射される再生音を案内するための音道８が形成されている。
【００２３】
この音道８の概ねの形状については、スピーカユニット３の背面側から後方に横に伸び、次いで下方に下り曲がってスピーカボックス２０の底部に向かい、更に前方側に折れ曲がって上方に向かい、そして再び前方に折れ曲がって下方に向かい、先端がスピーカボックス２０の前面にて外部に開口する形状になっている。このような形状の音道８を形成するために、スピーカボックス２０内には前記スピーカユニット３の背面側から放射された再生音を導くための音導部材である案内部材が設けられている。
【００２４】
これら案内部材について図１及び図３を参照しながら述べると、バッフル板２１におけるスピーカユニット３の少し下方側から横幅一杯に第１案内部材４０が水平よりも少し上向きに後方側（スピーカボックス２０の背面側）に伸び、バッフル板２１とスピーカボックス２０の背面との間の略中央位置にて下方側に屈曲し、第２案内部材５０としてスピーカボックス２０の底板２４付近まで下方側に向かって伸びている。そして第２案内部材５０の下端から前方側に屈曲してバッフル板２１に向かって第３案内部材５１として少し伸び、更に上方側に屈曲して第４案内部材５２として前記第１案内部材４０の後端近傍まで伸びている。さらにバッフル板２１と第４の案内部材５２との間には、スピーカボックス２０の底板２４から第１の案内部材４０の近傍まで延びる第５案内部材５３が設けられている。
【００２５】
従って、スピーカボックス２０の天板２２、背板２５及び底板２４と、第１案内部材４０、第２案内部材５０及び第３案内部材５１との間で、スピーカユニット３の背面側から後方に横に伸び、次いで下方に折れ曲がってスピーカボックス２０の底部に向かい、更に前方側に折れ曲がる音道８が形成される。さらに第４案内部材５２、第５の案内部材５３、第１案内部材４０の裏面及びバッフル板２１によって、第３案内部材５１の下方側の音道８が、更に上方に向かい、そして再び前方側に折れ曲がって下方に向かい、先端がスピーカボックス２０の前面の下方側にて外部に開口する構成となる。この例では音道８の先端を開口した構成としているため図２に示すようにバッフル板２１の下方側に開口部７１が形成さるが、この開口部７１は後述するように低域音の拡散放射を目的としたものではないため、前記開口部７１を塞ぐことによって音道８の先端を閉口した構成としてもよい。
【００２６】
またこの音道８の折り曲げ部位であって、外周側の各隅部には、スピーカユニット３の背面から放出される音である進行波を概ね９０度向きを変えるように方向規制用の案内面部６０，６１，６２，６３，６４が傾斜して夫々設けられている。また図１に示すようにこの例では前記バフル板２１の下部に形成された前記開口部７１を塞ぐようにして例えばグラスウールやフェルト等の吸音材２６が設けられており、このような構成にすることで後述するようにスピーカボックス２０前面の下部の開口部７１から漏れ出る音道８内で濾波しきれなかった位相遅れを伴う音波の直接音への干渉を防いでいる。なお、この吸音材２６は前記開口部７１から覗く第５案内部材５３の壁面に設けてもよい。このようにして上述した音道８の先端部に吸音材２６が設けられることになる。
【００２７】
また既述のようにスピーカボックス２０内にはスピーカユニット３の背面側から略水平に後方に向かう音道８からスタートして、音道８が順次屈曲し、こうして折り畳まれることにより直線領域が分割された形態となっている。そこで分割された各直線領域（分割領域）を図４に示すように上流側から順次Ｎ０、Ｎ１、Ｎ２、Ｎ３、Ｎ４の符号を割り当てることにする。なお、音道８が屈曲している部分は、これら直線領域から除かれている。これら直線領域Ｎ０〜Ｎ４は、全体として下流側に進むにつれて音道８の横断面積が小さくなるように、且つその横断面積の減少率が小さくなるように案内部材４０，５０，５１，５２，５３の傾斜の度合が設定されている。
【００２８】
ここで図４に示すようにＮ０領域の入口側の横断面Ｓ０の面積は例えば６８５ｃｍ２、Ｎ０領域の出口側の横断面Ｓ０´の面積は例えば６２７ｃｍ２、Ｎ１領域の入口側の横断面Ｓ１の面積は例えば５５１ｃｍ２、Ｎ１領域の出口側の横断面Ｓ１´の面積は例えば３２６ｃｍ２、Ｎ２領域の入口側の横断面Ｓ２の面積は例えば２９８ｃｍ２、Ｎ２領域の出口側の横断面Ｓ２´の面積は例えば２８２ｃｍ２、Ｎ３領域の入口側の横断面Ｓ３の面積は例えば２６０ｃｍ２、Ｎ３領域の出口側の横断面Ｓ３´の面積は例えば１６４ｃｍ２、Ｎ４領域の入口側の横断面Ｓ４の面積は例えば１５１ｃｍ２、Ｎ４領域の出口側の横断面Ｓ４´の面積は例えば９１ｃｍ２に設定されている。また各直線領域Ｎ０〜Ｎ４における各々の横断面積の減少率は、Ｎ０＝５．８ｃｍ２／ｃｍ、Ｎ１＝３．７５ｃｍ２／ｃｍ、Ｎ２＝２．０ｃｍ２／ｃｍ、Ｎ３＝１．８３ｃｍ２／ｃｍ、Ｎ４＝１．０３ｃｍ２／ｃｍである。この減少率の求め方については、各直線領域Ｎ０〜Ｎ４の入口の横断面Ｓ１〜Ｓ４の面積と出口の横断面Ｓ０´〜Ｓ４´の面積の差を求め、この差を、入口の横断面から出口の横断面までの距離で割ることにより計算している。例えば直線領域Ｎ０であれば（Ｓ０´−Ｓ０）／Ｌ０、直線領域Ｎ１であれば（Ｓ１´−Ｓ１）／Ｌ１として求めている。なお、横断面及びその面積は便宜上同符号としてある。
【００２９】
また図５は、直線領域Ｎ０の入口つまりスピーカユニット３の背後から直線領域だけを繋げたときの音道８の道のりを横軸に取り、各直線領域Ｎ０〜Ｎ４の横断面積を縦軸に取って表した概念的なグラフである。この図５から分かるように各直線領域Ｎ０〜Ｎ４は各々直線的に横断面積が減少していると共に、その減少の程度が下流側の直線領域のものほど小さくなっている。即ち、各領域における音道８の横断面積の減少率は指数関数を直線近似した一律な値に設定されており、下流側の領域ものほど音道８の横断面積の減少率が小さく設定されている。
【００３０】
またこの例では、音道８の直線領域Ｎ０〜Ｎ４と音道８の屈曲している部分とを合わせた音道８の長さＬを例えば２．４ｍに設定してある。この音道８の長さＬは、案内部材４０，５０，５１，５２，５３及び案内面部６０，６１，６２，６３，６４の長さ及び傾斜角度を調整することで決定される。音道８の長さＬを調整することで、後述するように共鳴周波数を任意に設定することができる。例えば共鳴周波数を１００Ｈｚ以下とするためには、ｆｘ（共鳴周波数）＝音速／４Ｌ（Ｌは音道の長さ）の式により音道８の長さＬを０．８５ｍ以上とする必要がある。このように使用するスピーカユニット３の最低共振周波数近傍の周波数に合わせて音道８を適切な長さに設定することで、最低共鳴周波数の整数倍で生じる気柱共鳴の最も音圧の高い第１次共鳴周波数から数次の共鳴周波数を利用し、音道８内の音圧を増大させて、スピーカユニット３からの最低共振周波数近傍の音波放出量の増強により低音域部の再生周波数帯域を拡大させることができる。
【００３１】
またスピーカユニット３の背面から放出される中・高域音は、スピーカユニットの背面近傍では大きなエネルギーを有しているため、案内面部６０として比重が例えば０．３〜０．５の部材を使用することで、最も上流側の直線領域Ｎ０の音道８を通った中・高域音を案内面部６０によって向きを下向きに変える際に、当該エネルギーを適切な吸収率で吸収し、中・高域音の反射を抑えるようにしている。また音道８の下流側の領域を構成する部材に関しては、後述するように中・高域音は音道８の下流側に向かうに従って徐々に減衰していくことから、低域音の吸収が少ない部材が好ましく、例えば比重が０．５〜０．８の部材が用いられる。
【００３２】
また、スピーカボックス２０を構成する部材はどんなに密度が高く比重の大きな硬いものでも、共振による音を出さないものは皆無と言って過言ではなく、特有の音質、音色が伴う。そこで、バッフル板２１と、音道８の上流側の領域を構成する部材、具体的には天板２２、第１案内部材４０、案内面部６０、第２案内部材５０及び背板２５と、音道８の下流側の領域を構成する部材、具体的には案内面部６１、底板２４、第３案内部材５１、案内面部６２、第４案内部材５２及び第５案内部材５３と、の３つの部材群に分け、部材群別に部材の比重を調整することで、部材固有の音質、音色を分散させスピーカ装置から出る音が自然な響きとなるように最適な反射と吸収が行われるようにすることが望ましい。この例では、具体的には、前記バッフル板２１の比重は例えば０．４５〜０．５５、音道８の上流側の領域を構成する部材の比重は例えば０．３〜０．５、音道８の下流側の領域を構成する部材の比重は例えば０．５〜０．８にある。
【００３３】
次に上述の実施の形態の作用について説明する。先ず、前記スピーカユニット３の前面から再生音が出力されるに伴って前記スピーカユニット３の背面からは、前面とは１８０度位相が異なる低域音例えば最低共振周波数〜１００Ｈｚ、中・高域音例えば１００Ｈｚ以上が放出される。
【００３４】
前記音道８の径は上述したように音道８の上流側から下流側に向かうに従って小さくなっている。音道８の径が小さくなると流体の粘性により音道８の壁面に摩擦抵抗が生じてくる。つまり音道８の径が小さくなるに従って音道８の壁面に生じる摩擦抵抗が大きくなる。この効果は音波吸収としての性質を持っているため、音道８の径が小さいほど低い帯域の音波が吸収される。従って前記音道８を電気的に示すと図６のように多段のローパスフィルタが構成された格好となり、音道８の位置によって周波数帯の吸収反応が異なることになる。また音道８が長ければ長いほど低い帯域までも吸収される。そのため前記スピーカユニット３の背面から放出された音波が奥に進んで行くと、先ず、音道８の上流側で中・高域音の音波が吸収され、続いて音道８の下流側で低域音の音波が吸収される。また前記音道８は共鳴管としても機能するため、この例では使用するスピーカユニット３の最低共振周波数３６Ｈｚに合わせて、指数関数的に横断面積が減少する長さ２．４ｍの音道８に設定してあるので、最も音圧の高い第１次の気柱共鳴周波数３６Ｈｚ及び７２Ｈｚ、１０８Ｈｚ等による音道８内の音圧増大を利用して、スピーカユニット３からの最低共振周波数近傍の音波放出を増強することから、低音域部の再生周波数帯域の拡大がなされる。また音道８内で完全に濾波しきれなかった音波は音道８の先端開口部７１に到達し、当該音波は前記吸音材２６によって吸収される。
【００３５】
以上のことから上述の実施の形態によれば、スピーカユニット３の背面音の進行方向出口側に向かって先細りにする音道８を設けることで、流体の粘性がもたらす効果によって生じるエネルギーの散逸を利用して背面からの中・高域音を吸収し、中・高域音の反射が起こらないようにしているため、スピーカユニット３から出力される直接音に中・高域音が干渉するといったおそれもなく、またスピーカユニット３が反射してきた音波の影響を受けずにスムーズに動作することから、音楽のディテールを含む、より再現性の高い音を聴くことができる。
【００３６】
また、部材群別に異なる比重の部材を組み合わせることで部材固有音を分散させ、響きの良さを考慮に入れた音道８にはグラスウールやフェルト等といったバックロードホーンでは不可欠な多量の吸音材を使用していないため、スピーカボックス２０自体の自然な減衰振動（響き）を確保でき、本来放射されるべき音のエネルギーが吸収されるといったおそれもないことから、結果として良好な音質が得られる。
【００３７】
また、この音道はローパスフィルタとして機能するので低域音（例えば１００Ｈｚ以下）を減衰させることなく、逆に低域音を共鳴させる共鳴管としても機能し、使用するスピーカユニット３の最低共振周波数近傍の周波数に合わせて適切な長さに設定することにより、最も音圧の高い第１次の気柱共鳴周波数３６Ｈｚ及び７２Ｈｚ、１０８Ｈｚ等による音道８内の音圧増大を利用して、スピーカユニット３からの最低共振周波数近傍の音波放出を増強することから、低音域部の再生周波数帯域拡大にも寄与することができる。
【００３８】
また、図１に示すようにバッフル板２１の下部に形成された前記開口部７１を塞ぐようにして例えばグラスウールやフェルト等の吸音材２６を設けているので、音道８の先端開口部７１に到達する音道８内で完全に濾波しきれなかった位相遅れを伴う音波はこの吸音材２６によって吸収することができる。そのためスピーカユニット前面から放出される直接音に干渉する音波は音道８の先端開口部７１から放出されるといったおそれがないことから、より再現性の高い音を聴くことができる。
【００３９】
また前記音道８は、スピーカボックス２０内にて、直線状に伸びる音道８を複数回折り曲げ、音道８の道のりと横断面積の減少率との関係において、指数関数を直線近似して各直線領域Ｎ０〜Ｎ４における横断面積の減少率を設定しているため、前記音道８が共鳴管として機能する際に、音道８全体の横断面積の減少率を一律にして構成した場合よりも短い長さで同等の効果が得られると共に、スピーカボックス２０をコンパクトに構成することができる。
【００４０】
また上述の実施の形態では、上述した部材を用いて音道８を５つの直線領域（Ｎ０，Ｎ１，Ｎ２，Ｎ３，Ｎ４）に分割して形成することで、音道８の横断面積の減少率を段階的に減少させているが、さらに多数の案内部材を用いて前記音道８を分割する直線領域を増やすことで、音道８の横断面積の減少率を連続して小さくするようにしてもよい。また音道８を分割する５つの直線領域を構成する案内部材４０，５０，５１，５２，５３及び案内面部６０，６１，６２，６３，６４を湾曲させることで音道８の横断面積の減少率を指数関数的に小さくするようにしてもよい。
【００４１】
本発明は、実際に図１及び図２の構成のスピーカ装置を組み立て、当該発明者及びパネラーに頼んで当該スピーカ装置のスピーカユニット３から出力される再生音を聴いてもらったところ、従来のスピーカ装置よりも良質な音が得られることを確認している。  
【図面の簡単な説明】
【００４２】
【図１】本発明の実施の形態に係るスピーカ装置を示す概略斜視図である。
【図２】本発明の実施の形態に係るスピーカ装置を示す概略断面図である。
【図３】本発明の実施の形態に係るスピーカ装置を示す概略横断面図である。
【図４】上記スピーカ装置において、音道の横断面積を示す説明図である。
【図５】上記スピーカ装置において、各領域における音道の横断面積の減少率を示す説明図である。
【図６】上記スピーカ装置において、音道の機能について説明した説明図である。
【符号の説明】
【００４３】
２０  スピーカボックス
２１  バッフル板
２２  天板
２３  側板
２４  底板
２５  背板
２６  吸音材
３    スピーカユニット
４０  第１案内部材
５０  第２案内部材
５１  第３案内部材
５２  第４案内部材
５３  第５案内部材
６０，６１，６２，６３，６４  案内面部
７１  開口部
８    音道
【図１】
2008160489.tif 000003
【図２】
2008160489.tif 000004
【図３】
2008160489.tif 000005
【図４】
2008160489.tif 000006
【図５】
2008160489.tif 000007
【図６】
2008160489.tif 000008